(57)【要約】【課題】  噴管に対して一対の噴口をそれぞれ任意の方向へ向けることができるようにする。【解決手段】  本発明の手持ち式噴霧装置１は、グリップ部２に突設された噴管３の先端に一対の噴口４を備えている。各噴口４は、噴管３の軸に直交する第一回転軸２１と、該第一回転軸２１に直交する第二回転軸２２とを介して噴管３の先端側にそれぞれ２軸での回転が可能に支持されており、グリップ部２には、噴霧に関する状態を表示するための状態表示部９が設けられている。【選択図】      図１
2009039675.tif 000002
【特許請求の範囲】
【請求項１】
グリップ部に突設された噴管の先端に一対の噴口を備えた手持ち式噴霧装置であって、
前記各噴口は、前記噴管の軸に直交する第一回転軸と、該第一回転軸に直交する第二回転軸とを介し、該噴管の先端側にそれぞれ２軸での回転が可能に支持されており、
前記噴管の基端側又は前記グリップ部には、噴霧に関する状態を表示するための状態表示部が設けられた手持ち式噴霧装置。
【請求項２】
前記噴管の先端側は、該噴管の軸を中心に、前記グリップ部に対して相対回転可能に構成された請求項１記載の手持ち式噴霧装置。
【発明の詳細な説明】
【技術分野】
【０００１】
本発明は、グリップ部に突設された噴管の先端に一対の噴口を備えた手持ち式噴霧装置に関するものである。
【背景技術】
【０００２】
従来の手持式噴霧装置として、特許文献１記載の静電噴霧装置を例示する。図５に示すように、この噴霧装置の手持ち式ノズル部５０は、手持ち用のグリップ部（図示略）の先端側に取り付けられた噴管５１を備えるとともに、該噴管５１の先端には、該噴管５１の軸に直交する回転軸５２を介して回動可能に支持された一対の噴口５３を備えている。
【０００３】
この噴霧装置によれば、次の態様での噴霧が可能になっている。
（１）両噴口５３の噴霧方向を平行にする態様。この態様では、１方向へ幅広に噴霧することができる。例えば、図５（ａ）に示すように、１側方に対し上下に幅広に噴霧することができる。
（２）両噴口５３の噴霧方向を非平行にする態様。この態様では、２方向へ同時に噴霧することができる。例えば、図５（ｂ）に示すように、左右両側方に対し同時に噴霧することができる。
【０００４】
【特許文献１】特開２００５−１２５１７５号公報
【発明の開示】
【発明が解決しようとする課題】
【０００５】
ところが、噴管５１に対し、両噴口５３が１軸の回転軸５２で支持されており、両噴口５３の向きの自由度が少ないので、前記（１）の態様では、噴口５３の角度を噴霧幅方向へ調節できず、前記（２）の態様では、例えば、左右両側方に対し同時に斜め上向きに噴霧することができないという課題がある。仮に、両噴口５３をボール関節で支持することも考えられるが、ボール関節は可動域内においては噴口５３を任意の方向に向けることができるが、その可動域が狭いという課題がある。
【０００６】
この両噴口５３の向きの自由度の少なさによる噴霧のし難さについては、前記グリップ部の持ち方を変えることにより、噴管５１を軸周りに回転させたり、噴管５１を傾けたりすることにより、ある程度緩和することができる。しかし、狭い通路では、このような使い方ができないという課題がある。また、このような使い方をすると、前記グリップ部の近傍に、噴霧に関する状態を表示するための状態表示部を設けている場合、噴霧中に該状態表示部の表示が確認し難くなるという課題がある。
【課題を解決するための手段】
【０００７】
上記課題を解決するために、本発明の手持式噴霧装置は、
グリップ部に突設された噴管の先端に一対の噴口を備えた手持ち式噴霧装置であって、
前記各噴口は、前記噴管の軸に直交する第一回転軸と、該第一回転軸に直交する第二回転軸とを介し、該噴管の先端側にそれぞれ２軸での回転が可能に支持されており、
前記噴管の基端側又は前記グリップ部には、噴霧に関する状態を表示するための状態表示部が設けられている。
【０００８】
この構成によれば、前記噴管に対して一対の前記噴口がそれぞれ２軸の回転軸で支持されているので、前記噴管に対して一対の前記噴口をそれぞれ任意の方向へ向けることができる。しかも、いかなる方向に噴霧するときでも、前記状態表示部が見やすい状態になるように、前記噴口の向きを適宜調節することができる。
【０００９】
前記手持ち式噴霧装置においては、
前記噴管の先端側は、該噴管の軸を中心に、前記グリップ部に対して相対回転可能に構成された態様を例示する。
【００１０】
この構成によれば、噴霧中に、前記状態表示部の向きを変えずに、前記噴管の先端側の向きを変えることができる。
【発明の効果】
【００１１】
本発明に係る手持ち式噴霧装置によれば、噴管に対して一対の噴口をそれぞれ任意の方向へ向けることができるという優れた効果を奏する。
【発明を実施するための最良の形態】
【００１２】
図１〜図４は本発明を具体化した一実施形態の手持ち式噴霧装置としての静電噴霧装置１を示している。図１及び図２に示すように、この静電噴霧装置１は、グリップ部２に突設された噴管３の先端に一対の噴口４を備えており、外部ホース５を介して供給される薬液を一対の噴口４からそれぞれ帯電噴霧Ｓにして噴出するように構成されている。
【００１３】
グリップ部２は、外部継手６を介して接続された外部ホース５からの薬液を流量センサ７、可撓性の内部ホース８を介して噴管側へ送るように構成されているとともに、静電噴霧に関する状態を表示するための状態表示部９と、直流高電圧を発生させるための高電圧発生装置１０と、高電圧発生装置１０の駆動源としての電池１１（例えば、乾電池や蓄電池等）とを備えている。状態表示部９は、流量センサ７が検出した流量や、電池１１の残量等を表示するようになっている。
【００１４】
また、本例のグリップ部２は、その外装１５の一部だけを着脱できるように、着脱カバー１６が設けられている。図３に示すように、この着脱カバー１６を取り外すと、定期的に交換する必要がある補修部品としての流量センサ７のメンテナンスが可能になるように、内部ホース８における流量センサ側から外部継手６までが露出するように構成されている。ここで、本例の流量センサ７は、可撓性の内部ホース８に接続されているので、同図に二点鎖線で示すように、流量センサ７を外装１５から簡単に引き出すことができ、流量センサ７を容易に交換することができ、着脱カバー１６を取り外した状態で露出しない部分の電気配線１８を損傷することがない。なお、本例のグリップ部２とは異なり、従来のグリップ部は、流量センサが硬質の内部配管で接続されていたため、流量センサの交換時に外装全体を取り外し、流量センサや内部配管以外の部品も取り外す必要があり、手間がかかるとともに、外装を再び取り付けるときに部品の組間違いや電気配線の噛み込みによる断線の恐れがあった。
【００１５】
噴管３は、噴口４をグリップ部２に対して間隔をおいて支持するためのもので、中空パイプ状に形成されている。噴管３の先端側３ａは、該噴管３の軸を中心にグリップ部２に対して相対回転可能に構成されるとともに、外周に補助グリップ部１７が装着されている。この補助グリップ部１７を持って噴管３の先端側３ａをグリップ部２に対して回転させることができるようになっている。
【００１６】
各噴口４は、噴管３の軸に直交する第一回転軸２１と、該第一回転軸２１に直交する第二回転軸２２とを介して噴管３の先端側にそれぞれ２軸での回転が可能に支持されている。
【００１７】
以上のように構成された本発明の手持ち式静電噴霧装置１によれば、噴管３に対して一対の噴口４がそれぞれ２軸の回転軸２１，２２で支持されているので、噴管３に対して一対の噴口４をそれぞれ任意の方向へ向けることができる。しかも、いかなる方向に噴霧するときでも、状態表示部９が見やすい状態になるように、噴口４の向きを調節することができる。さらに、狭い通路においても、作業性が良い。
【００１８】
そして、本発明によれば、例えば次のような噴霧が可能になる。
（１）図４（ａ）に示すように、１側方の噴霧対象Ｃへの噴霧の際に上下方向へ広角な噴霧が可能となる。
（２）図４（ｂ）に示すように、左右両側方の噴霧対象Ｃへの噴霧の際に同時に斜め上向きに噴霧することができる。
【００１９】
また、噴管３の先端側は、該噴管３の軸を中心に、グリップ部２に対して相対回転可能に構成されているので、噴霧中に、状態表示部９の向きを変えずに、噴管３の先端側の向きを変えることができる。
【００２０】
なお、本発明は前記実施形態に限定されるものではなく、例えば以下のように、発明の趣旨から逸脱しない範囲で適宜変更して具体化することもできる。
（１）噴霧を帯電させるようになっていない通常の手持ち式噴霧装置に対して本発明を適用すること。
（２）状態表示部９を噴管３の基端側に設けること。
【図面の簡単な説明】
【００２１】
【図１】本発明を具体化した一実施形態に係る手持ち式静電噴霧装置の側面図である。
【図２】同静電噴霧装置の平面図である。
【図３】同静電噴霧装置の要部の拡大側面図である。
【図４】同静電噴霧装置の噴霧態様を示す図であり、（ａ）は１側方に対して噴霧する態様、（ｂ）は両側方に対して噴霧する態様を示している。
【図５】従来の噴霧装置の噴霧態様を示す図であり、（ａ）は１側方に対して噴霧する態様、（ｂ）は両側方に対して噴霧する態様を示している。
【符号の説明】
【００２２】
１    手持ち式静電噴霧装置
２    グリップ部
３    噴管
４    噴口
５    外部ホース
７    流量センサ
８    内部ホース
９    状態表示部
１０    高電圧発生装置
１１    電池
１５    外装
１６    着脱カバー
１７    補助グリップ部
１８    電気配線
２１    第一回転軸
２２    第二回転軸
Ｃ    噴霧対象
Ｓ    噴霧
【図１】
2009039675.tif 000003
【図２】
2009039675.tif 000004
【図３】
2009039675.tif 000005
【図４】
2009039675.tif 000006
【図５】
2009039675.tif 000007